(57)【要約】      （修正有）【課題】画面サイズの異なるディスプレイ装置をそれぞれの画面サイズに応じた最適な態様にて収納できる構造を提供する。【解決手段】画面サイズの異なるＰＤＰ３１、ＰＤＰ３２のいずれをも収納可能な大きさにフロントキャビネット２０を形成するとともに、収容するディスプレイがＰＤＰ３１、ＰＤＰ３２のいずれかによって、開口の大きさがＰＤＰ３１の画面３１ａに対応したデコレーションフレーム１１と、ＰＤＰ３２の画面３２ａに対応したデコレーションフレーム１２とを選択してフロントキャビネット２０に取り付け可能としたため、ＰＤＰ３１，３２を収容する各場合において、共通のフロントキャビネット２０を使用することができ、画面サイズが異なるプラズマテレビジョンを製造する場合のコストを低減することができる。【選択図】図３
0003112212.tif 000002
【実用新案登録請求の範囲】
【請求項１】
前面に開口を形成するとともにディスプレイ装置を収容するフロントキャビネットと、当該フロントキャビネットの前面側に取り付けられてディスプレイ装置の画面の周縁を覆う化粧枠とを有するパネル表示型テレビジョンにおいて、
上記フロントキャビネットは、画面の大きさが異なる大型のパネル型ディスプレイをそれぞれ収容可能な大きさに形成され、かつ、異なる各画面の大きさに対応して枠が形成する開口の大きさをそれぞれ異ならせた各化粧枠におけるフロントキャビネットに対抗する側の面上の複数箇所にはネジ穴を形成したボスを立設するとともにフロントキャビネットにおける各ボスとそれぞれ対抗する位置には化粧枠の長手方向に沿って長穴状となった貫通口を形成することにより各化粧枠のいずれをもフロントキャビネットに取り付け可能であり、
上記各化粧枠は、フロントキャビネットに取り付けた際に画面の外側を向く枠端部において同外側に向かって延設された庇部を有するとともに、両長辺のそれぞれ略中央であってフロントキャビネットに対抗する側の面上に、フロントキャビネットにおける短辺方向の開口幅と同等の間隔を保持して位置決め部材を形成することを特徴とするパネル表示型テレビジョン。
【請求項２】
前面に開口を形成するとともにディスプレイ装置を収容するフロントキャビネットと、当該フロントキャビネットの前面側に取り付けられてディスプレイ装置の画面の周縁を覆う化粧枠とからなるキャビネット構造において、
上記フロントキャビネットは、画面の大きさが異なるディスプレイ装置をそれぞれ収容可能な大きさに形成され、かつ異なる各画面の大きさに対応して枠が形成する開口の大きさをそれぞれ異ならせた各化粧枠のいずれをも取り付け可能とした化粧枠取付部を備えることを特徴とするキャビネット構造。
【請求項３】
上記各化粧枠は、フロントキャビネットに取り付けた際に画面の外側を向く枠端部において、同外側に向かって延設された庇部を有することを特徴とする請求項２に記載のキャビネット構造。
【請求項４】
上記各化粧枠におけるフロントキャビネットに対抗する側の面上の複数箇所にはネジ穴を形成したボスが立設され、上記化粧枠取付部はフロントキャビネットにおける上記各ボスとそれぞれ対抗する位置に形成された貫通口であることを特徴とする請求項２または請求項３のいずれかに記載のキャビネット構造。
【請求項５】
上記貫通口は、化粧枠が収縮変形しやすい所定の方向に沿って長穴状に形成されていることを特徴とする請求項４に記載のキャビネット構造。
【請求項６】
上記所定の方向とは、略矩形の化粧枠における長手方向であることを特徴とする請求項５に記載のキャビネット構造。
【請求項７】
上記各化粧枠の両長辺のそれぞれ略中央であってフロントキャビネットに対抗する側の面上には、フロントキャビネットにおける短辺方向の開口幅と同等の間隔を保持して位置決め部材が形成されることを特徴とする請求項２〜請求項６のいずれかに記載のキャビネット構造。
【請求項８】
上記ディスプレイ装置は、大型のパネル型ディスプレイであることを特徴とする請求項２〜請求項７のいずれかに記載のキャビネット構造。
【考案の詳細な説明】
【技術分野】
【０００１】
本考案は、ディスプレイ装置を収容するフロントキャビネットと、当該フロントキャビネットに取り付けられてディスプレイ装置の画面の周縁を覆う化粧枠とを備えるパネル表示型テレビジョンおよびキャビネット構造に関する。
【背景技術】
【０００２】
従来より、画面サイズを変更する枠体を着脱可能に取り付けてなる映像機器用キャビネットが知られている（特許文献１参照。）。
また、他の技術として、裏蓋周辺に設けたひんじ部を折り曲げることで裏蓋自体の大きさを変更し筺体の大きさに合わせられるようにした蓋体装置が知られている（特許文献２参照。）。
【特許文献１】特開２００１‐１４５０４６号公報
【特許文献２】実開昭５６‐９４０８３号公報
【考案の開示】
【考案が解決しようとする課題】
【０００３】
上記文献１においては、前面キャビネットに収容されるＣＲＴの画面サイズをアスペクト比４：３とアスペクト比１６：９との間で変更するために、一つの枠状フレームを着脱可能にしているだけであるため、元々画面サイズの異なる複数種類のディスプレイ装置を収容する場合には対応していなかった。
【０００４】
また、熱成形にて前面キャビネットおよび枠状フレームをそれぞれ量産する場合、材質とした樹脂の熱成形後の収縮程度の違いなどを原因とする成形品毎の微妙な寸法の誤差によって、枠状フレームを取り付けた際に枠周縁部において前面キャビネットとの間で外観上のずれや隙間を生じることがある。近年における液晶テレビジョンやプラズマテレビジョン等の大型化に伴い、かかる外観上のずれや隙間は大きくなりやすいため、看過できない状況にある。
しかし、文献１においては上記のような微妙な寸法誤差の存在は考慮していないため、同誤差によって前面キャビネットと枠状フレームとの間にて生じうる隙間等を解消することはできなかった。
【０００５】
本考案は、上記課題にかんがみてなされたもので、低コストな構成にて、画面サイズの異なるディスプレイ装置をそれぞれの画面サイズに応じた最適な態様にて収容することができ、かつ成形品毎の微妙な寸法誤差による外観上のずれや隙間を解消することの可能なパネル表示型テレビジョンおよびキャビネット構造を提供することを目的とする。
【課題を解決するための手段】
【０００６】
上記目的を達成するために請求項２の考案は、前面に開口を形成するとともにディスプレイ装置を収容するフロントキャビネットと、当該フロントキャビネットの前面側に取り付けられてディスプレイ装置の画面の周縁を覆う化粧枠とからなるキャビネット構造において、上記フロントキャビネットは、画面の大きさが異なるディスプレイ装置をそれぞれ収容可能な大きさに形成され、かつ異なる各画面の大きさに対応して枠が形成する開口の大きさをそれぞれ異ならせた各化粧枠のいずれをも取り付け可能とした化粧枠取付部を備える構成としてある。
【０００７】
上記のように構成した請求項２においては、フロントキャビネットは画面の大きさが異なるディスプレイ装置をそれぞれ収容可能な大きさに形成されている。また、フロントキャビネットは、異なる各画面の大きさに対応して枠が形成する開口の大きさをそれぞれ異ならせた各化粧枠のいずれをも取り付け可能とした化粧枠取付部を備えている。
すなわち本考案によれば、画面サイズの異なるディスプレイ装置をフロントキャビネット内に収容した各場合において、同収容したディスプレイ装置の画面サイズに対応した化粧枠を選択して取り付けることにより、同収容したディスプレイ装置の画面を最適な大きさにて外部に対して露出させることができる。従って、収容するディスプレイ装置の大きさ毎にフロントキャビネットの大きさを変更する必要が無くなる。
【０００８】
請求項３は、請求項２に記載のキャビネット構造において、上記各化粧枠はフロントキャビネットに取り付けた際に画面の外側を向く枠端部において、同外側に向かって延設された庇部を有する構成としてある。
量産されるフロントキャビネットや化粧枠には、それぞれに微妙な寸法上の誤差が生じてしまうため、化粧枠をフロントキャビネットの前面に取り付けた際に、枠の周縁が本来位置すべき同前面上の位置からずれ、当該ずれによって部品間に隙間が生じてしまうことがある。そこで、上記のように庇部を化粧枠の端部にて外側に延出するように形成することで、上記隙間が生じても同隙間を覆ってユーザから見られなくすることができ、商品の品質の低下を防ぐことができる。
【０００９】
請求項４は、請求項２または請求項３のいずれかに記載のキャビネット構造において、上記各化粧枠におけるフロントキャビネットに対抗する側の面上の複数箇所にはネジ穴を形成したボスが立設され、上記化粧枠取付部はフロントキャビネットにおける上記各ボスとそれぞれ対抗する位置に形成された貫通口である構成としてある。
つまり、化粧枠側にネジ穴を形成したボスを設け、フロントキャビネット側に貫通口を設けることにより、ネジ穴と貫通口を介して両者をネジ止めして固定できる。
【００１０】
ここで、上記貫通口は、化粧枠が収縮変形しやすい所定の方向に沿って長穴状に形成されているとしてもよい。化粧枠等に生じる寸法誤差は、多くの場合、熱性成形後の樹脂の収縮程度の違いが原因となっている。そこで、貫通口を化粧枠が収縮変形しやすい方向に沿った長穴状とすれば、フロントキャビネットに対する化粧枠の上記ボスの位置が本来の位置から多少ずれていても容易に化粧枠を取り付けることができる。
【００１１】
樹脂を熱成形して略矩形の化粧枠を製造した場合、熱性成形後の収縮は、短辺方向より長辺方向の方が顕著であることが多い。そこで、上記所定の方向とは略矩形の化粧枠における長手方向であるとしてもよい。かかる構成とした結果、化粧枠の長手方向にやや寸法誤差を有した化粧枠をフロントキャビネットに取り付ける場合にも、長穴状の貫通口の存在により容易に取り付けることが可能となる。
【００１２】
請求項７は、請求項２〜請求項６のいずれかに記載のキャビネット構造において、上記各化粧枠の両長辺のそれぞれ略中央であってフロントキャビネットに対抗する側の面上には、フロントキャビネットにおける短辺方向の開口幅と同等の間隔を保持して位置決め部材が形成される構成としてある。
【００１３】
各化粧枠はその開口の大きさがそれぞれ異なるが、取付対象となるフロントキャビネットの形や大きさは共通である。そこで、化粧枠を構成する４辺のうち２つの長辺に、フロントキャビネットの短辺方向の開口幅と同等の間隔を開けて位置決め部材を形成する。その結果、各化粧枠を自身の開口の大きさにかかわらずフロントキャビネットに対して位置決めすることができる。また、上記化粧枠の２つの長辺の略中央部は、熱成形後の収縮による変形が最も小さい部位であるため、かかる部位に位置決め部材を設けることにより、フロントキャビネットと化粧枠との中心位置を正確に合わせて両者を取り付けることができる。
なお、上記ディスプレイ装置の具体例としては、大型の液晶パネルやプラズマディスプレイパネル（ＰＤＰ）など、パネル型ディスプレイが考えられる。
【００１４】
以上の構成を踏まえたうえで、請求項１の考案は、前面に開口を形成するとともにディスプレイ装置を収容するフロントキャビネットと、当該フロントキャビネットの前面側に取り付けられてディスプレイ装置の画面の周縁を覆う化粧枠とを有するパネル表示型テレビジョンにおいて、上記フロントキャビネットは、画面の大きさが異なる大型のパネル型ディスプレイをそれぞれ収容可能な大きさに形成され、かつ、異なる各画面の大きさに対応して枠が形成する開口の大きさをそれぞれ異ならせた各化粧枠におけるフロントキャビネットに対抗する側の面上の複数箇所にはネジ穴を形成したボスを立設するとともにフロントキャビネットにおける各ボスとそれぞれ対抗する位置には化粧枠の長手方向に沿って長穴状となった貫通口を形成することにより各化粧枠のいずれをもフロントキャビネットに取り付け可能であり、上記各化粧枠は、フロントキャビネットに取り付けた際に画面の外側を向く枠端部において同外側に向かって延設された庇部を有するとともに、両長辺のそれぞれ略中央であってフロントキャビネットに対抗する側の面上に、フロントキャビネットにおける短辺方向の開口幅と同等の間隔を保持して位置決め部材を形成する構成としてある。
【００１５】
このような、より具体的な構成において請求項２〜請求項８の各考案と同様の作用を奏することは言うまでもない。
【考案の効果】
【００１６】
以上説明したように本考案によれば、共通のフロントキャビネットに画面サイズの異なるディスプレイ装置をそれぞれ収容した各場合において、各ディスプレイ装置の画面サイズに適した開口の大きさを有する化粧枠を、適宜フロントキャビネットに取り付けることができるため、ディスプレイ装置の大きさ毎に別サイズにてフロントキャビネットを製造する必要がなくなり、キャビネットの製造コストを大きく低減させることができる。
また、熱成形後の収縮程度の違いによる化粧枠やフロントキャビネットの寸法誤差が生じた場合であってもフロントキャビネットに化粧枠を適切に取り付けることができ、かつ当該誤差による両成形品のずれや隙間をユーザから見え難くすることができる。
【考案を実施するための最良の形態】
【００１７】
図１は、プラズマテレビジョン１００を組み立てる様子を斜視図により示している。
同図においては、前面側から背面側に向かって、順にデコレーションフレーム（化粧枠）１１（またはデコレーションフレーム１２）と、フロントキャビネット２０と、ＰＤＰ３１（またはＰＤＰ３２）とを簡略的に示している。ＰＤＰ３１（３２）は、その背面側に図示しない映像や音声出力のための各回路を備えつつ、フロントキャビネット２０と図示しないリアキャビネットとによって略全体が構成されるテレビジョンキャビネット内に収容され、固定される。その結果、製品としてのテレビジョンとなる。デコレーションフレーム１１（１２）は、フロントキャビネット２０の前面側に取り付けられることで、テレビジョンキャビネットの一部となる。
【００１８】
デコレーションフレーム１１（１２）およびフロントキャビネット２０はいずれも横長の略矩形であり、ＰＤＰ３１（３２）の画面を外部に露出させるための開口を形成している。以下においては、フロントキャビネット２０の前面２１を構成する上下左右の縁部をそれぞれ、上縁、下縁、左縁、右縁と、デコレーションフレーム１１（１２）の上下左右の辺をそれぞれ、上辺、下辺、左辺、右辺と適宜呼ぶ。ここでは、プラズマテレビジョンにかかる筺体を例に本考案のキャビネット構造を説明するが、本考案のキャビネット構造は、液晶モニタなど他のパネル型の表示装置についても適用可能であることは言うまでもない。
デコレーションフレーム１１（１２）およびフロントキャビネット２０は、それぞれに所定の樹脂素材を用いた熱成形により量産される。
【００１９】
図２，３は、図１におけるＡ‐Ａ線で切断した場合のプラズマテレビジョン１００の一部を断面図により示している。両図においては、フロントキャビネット２０の上縁と、これに取り付けられたデコレーションフレームの上辺と、ＰＤＰの一部とを中心に示している。なお、下縁側においては上下対称の構造となっている。
両図では、フロントキャビネット２０は同型のものを使用しているが、ＰＤＰおよびデコレーションフレームについてはそれぞれ異なる型のものを使用している点で相違する。図２では、フロントキャビネット２０内部に所定の画面サイズのＰＤＰ３１を収容して図示しない固定手段にて固定している一方、図３では、上記ＰＤＰ３１より画面サイズの小さい（例えば、１インチ小さい。）ＰＤＰ３２をフロントキャビネット２０内部に収容して図示しない固定手段にて固定している。
【００２０】
つまり、フロントキャビネット２０は、互いに画面サイズの異なるＰＤＰを収容できるように、ある程度余裕を持った大きさに形成されている。
次に、デコレーションフレームについて説明する。本考案においては、フロントキャビネット２０に収容されるＰＤＰの画面サイズに応じて、開口の大きさが最適であるデコレーションフレームを選択して取り付ける。具体的には、ＰＤＰ３１をフロントキャビネット２０内に固定した場合は、その画面３１ａの大きさに略一致した大きさの開口を有するデコレーションフレーム１１を取り付ける。一方、ＰＤＰ３２をフロントキャビネット２０内に固定した場合は、その画面３２ａの大きさに略一致した大きさの開口を有するデコレーションフレーム１２を取り付ける。
【００２１】
デコレーションフレームの取付方法について説明する。なお、取付方法はデコレーションフレーム１１，１２ともに共通であるため、ここではデコレーションフレーム１１を取り付ける場合を例に説明を行う。
図５は、デコレーションフレーム１１の背面側を簡易的に示しており、図６は、フロントキャビネット２０の前面側を実線にて簡易的に示している。
デコレーションフレーム１１においては、中央部に開口１１ｅを形成しつつ、背面側の複数箇所に同背面側に向かってボス１１ｄが立設している。各ボス１１ｄに設けられた穴はネジ穴である。また、同背面側であって、上辺および下辺の略中央位置には、背面側に向かって仮止め用部材（位置決め部材）１１ｂがそれぞれ立設している。
【００２２】
上辺の仮止め用部材１１ｂの先端部位には上方に向かって突起が形成されることにより、全体が略鉤状となっている。同様に、下辺の仮止め用部材１１ｂの先端部位には下方に向かって突起が形成されることにより、全体が略鉤状となっている。
上下の仮止め用部材１１ｂは、フロントキャビネット２０の上縁および下縁のそれぞれ画面内側を向く端部間の距離、言い換えればフロントキャビネット２０の開口２０ｅの上下方向の幅、と同等の距離を互いの間に保って、上辺、下辺にそれぞれ形成されている。
【００２３】
なお、図３に示したデコレーションフレーム１２は、枠全体の外周の大きさ、各ボスの形と位置、仮止め用部材の形と位置についてはデコレーションフレーム１１と共通である。しかし、その開口を小さくするため、デコレーションフレーム１１よりも上下左右の各辺の幅がそれぞれ広くなっている。つまり、上辺を例に比較を行うと、図２，３に示すように、デコレーションフレーム１１の画面外側を向く端部１１ｆから画面内側を向く端部１１ａまでの距離をＬ１、デコレーションフレーム１２の画面外側を向く端部１２ｆから画面内側を向く端部１２ａまでの距離をＬ２とした場合、Ｌ１＜Ｌ２の関係が成り立つ。一方、端部１１ｆからボス１１ｄまでの距離と端部１２ｆからボス１２ｄまでの距離はいずれも共通のＬ３であり、端部１１ｆから仮止め用部材１１ｂまでの距離と端部１２ｆから仮止め用部材１２ｂまでの距離はいずれも共通のＬ４となっている。
【００２４】
フロントキャビネット２０においては、前面２１の中央部に開口２０ｅを形成しつつ、複数箇所に、左右方向（長手方向）に長穴状となった貫通口２１ｂを形成している。開口２０ｅは、デコレーションフレーム１１，１２のいずれの開口よりも大きく形成されている。各貫通口２１ｂは、デコレーションフレーム１１を取り付ける際に各ボス１１ｄとそれぞれ相対する位置に形成されている。
【００２５】
このような構成において、デコレーションフレーム１１の背面をフロントキャビネット２０の前面２１に接近させるとともに、二つの仮止め用部材１１ｂをフロントキャビネット２０の開口２０ｅを通過させ、同仮止め用部材１１ｂの先端の突起をフロントキャビネット２０の上縁２１ａおよび下縁２１ａの略中央位置にそれぞれ引っ掛ける。その結果、デコレーションフレーム１１の背面の一部と前面２１の一部とが当接し、デコレーションフレーム１１がフロントキャビネット２０に仮止めされる。このとき、各ボス１１ｄは、対応する各貫通口２１ｂ内に挿入された状態となる。
仮止め用部材１１ｂをフロントキャビネット２０の上縁と下縁に引っ掛ける際には、デコレーションフレーム１１を若干たわませればよい。また、フロントキャビネット２０の側においても上縁２１ａおよび下縁２１ａの略中央位置に、仮止め用部材１１ｂを引っ掛けるための位置を示した目印や小さな溝を形成しておく。その結果、デコレーションフレーム１１の中心位置と前面２１の中心位置とを正確に一致させることができる。
【００２６】
上記のように仮止め状態としたら、次に、図２に示すようにフロントキャビネット２０の背面側から各ボス１１ｄのネジ穴にネジ２５を通すことにより、デコレーションフレーム１１をフロントキャビネット２０に対してネジ止めする。その結果、デコレーションフレーム１１とフロントキャビネット２０とが強固に固定される。
かかる取付作業の結果、図２に示すように、デコレーションフレーム１１の開口１１ｅの位置と画面３１ａの位置とが略一致し、画面３１ａを適切に外部に対して露出することができる。図６においては、このように前面２１に取り付けたデコレーションフレーム１１の外周を外側の２点鎖線によって、開口１１ｅの大きさを内側の２点鎖線によってそれぞれ示している。
【００２７】
一方、上記と同じ手順にてデコレーションフレーム１２をフロントキャビネット２０に取り付けた場合には、図３に示すように、フロントキャビネット２０の前面側がデコレーションフレーム１１を用いたときよりも多く覆われ、デコレーションフレーム１２の開口１２ｅの位置と画面３２ａの位置とが略一致し、画面３２ａを外部に対して適切に露出させることができる。デコレーションフレーム１２を取り付けた場合は、その外周は図６に示す外側の２点鎖線と基本的に一致することになるが、開口１２ｅの大きさは図６の内側の２点鎖線で囲んだ範囲よりもさらに小さくなる。
【００２８】
さらに本考案においては、デコレーションフレーム１１，１２の画面外側を向く端部１１ｆ，１２ｆにおいて、外側に向かって延伸する庇部１１ｃ，１２ｃを形成している。
以下では、庇部の役割について説明する。庇部の役割は各デコレーションフレームにおいて共通であるため、デコレーションフレーム１１に形成した庇部１１ｃを例に説明を行う。
【００２９】
図４は、図１におけるＢ‐Ｂ線で切断した場合のプラズマテレビジョン１００の一部を断面図により示している。同図では、フロントキャビネット２０の左縁と、これに取り付けられたデコレーションフレーム１１の左辺とを中心に示している。ＰＤＰ３１は省略している。なお、右縁側においては左右対称の構造となっている。
同図においても、図２と同様にデコレーションフレーム１１の背面の一部とフロントキャビネット２０の前面２１の一部とを当接させつつ、ボス１１ｄと貫通口２１ｂを介して、フロントキャビネット２０とデコレーションフレーム１１とをネジ止めしている。
【００３０】
図に示すように、デコレーションフレーム１１側の端部１１ｆと、フロントキャビネット２０側に形成した凹部２１ｃの壁面との間には隙間Ｄが生じている。凹部２１ｃは、その底部に貫通口２１ｂを形成した窪みであり、デコレーションパネル１１を取り付ける際にボス１１ｄを導く役割を果たす。上述したように、フロントキャビネット２０やデコレーションフレーム１１，１２の外周はそれぞれ一つのサイズなのであるから、熱成形時に用いる金型の設計においてフロントキャビネット２０とデコレーションフレーム１１，１２の外周とについて、熱成形後の冷却による収縮をも考慮した最適な型を決定すれば、上記隙間Ｄは生じない筈である。
【００３１】
しかし、実際に樹脂を素材とした熱成形によりフロントキャビネット２０やデコレーションフレーム１１，１２を量産する場合には、素材の収縮率の違いや冷却期間の取り方によって、成形品毎に微妙な寸法誤差が生じてしまう。そして、このような寸法誤差があるために、デコレーションフレーム１１，１２をフロントキャビネット２０に取り付けた際に、端部１１ｆと上記凹部２１ｃの壁面とを正確に当接させることができない場合があり、上記のような隙間Ｄが生じてしまう。そこで、庇部１１ｃを端部１１ｆの外側にさらに延設させる。その結果、上記隙間Ｄが発生している場合でも庇部１１ｃが隙間Ｄを前面側から覆うため、ユーザから隙間Ｄを見えないようにすることが可能となる。
【００３２】
本考案は特に、画面サイズが例えば２５インチ以上の大型のパネル型ディスプレイを収容するキャビネットの構造に適用する場合に好適である。
大型のパネル型ディスプレイのキャビネットには、大型であるが故に高い強度が求められる。そして上記デコレーションフレームには、フロントキャビネット２０の前面側において画面をその大きさに応じて適切に囲う他に、前面側からキャビネットの強度を補強する役目をも有している。そこで、本考案においては、かかる強度要請の下、デコレーションフレーム１１，１２については、フロントキャビネット２０とは異なる樹脂を採用している（例えば、フロントキャビネット２０にはＡＢＳ樹脂を採用し、デコレーションフレーム１１，１２にはＡＢＳ樹脂より強度の高いポリカＡＢＳ樹脂を採用する。）。
【００３３】
このように、フロントキャビネット２０とデコレーションフレーム１１，１２の素材が違うために、熱成形後の冷却による素材の収縮率も異なり、その結果、上記隙間Ｄも発生しやすくなる。さらには、フロントキャビネット２０やデコレーションフレーム１１，１２を大量生産する工程においては、量産スピード向上のため各成形品の冷却期間を十分に確保できない場合もあり、かかる事情も成形品毎に寸法誤差を生じさせる原因となる。
上記のような寸法誤差の発生原因が存在する状況下、本考案ではデコレーションフレーム１１，１２の外縁にさらに庇部を形成することによって、キャビネットの外観上の欠陥を解消し、かつ、その強度と大量生産のスピードとを担保することに成功している。
【００３４】
また、上記フロントキャビネット２０やデコレーションフレーム１１，１２の寸法誤差は主にその長手方向に生じる。これは、フロントキャビネット２０やデコレーションフレーム１１，１２の金型に溶融した樹脂を充填する場合、金型の中央からその長手方向に向かって溶融した樹脂を押し流すように充填するため、冷却後の収縮も同長手方向において顕著となる、という原因による。そこで、本考案では上述したように、仮止め用部材１１ｂ，１２ｂをデコレーションフレーム１１，１２の長辺である上辺および下辺の略中央に設け、かつ上記貫通口２１ｂをフロントキャビネット２０の長手方向に向かって長穴状としている。
【００３５】
つまり、デコレーションフレーム１１，１２の上辺および下辺の略中央は、収縮による寸法誤差が最も発生し難い位置であるため、仮止め用部材１１ｂ，１２ｂは安定してデコレーションフレーム１１，１２の上辺および下辺の略中央に維持される。その結果、仮止め用部材１１ｂ，１２ｂを用いることにより、デコレーションフレーム１１，１２の中心とフロントキャビネット２０の中心とが正確に一致した状態で仮止めされ、ユーザに外観上の違和感を与えることが無くなる。また、貫通口２１ｂが長手後方において長穴状であるため、デコレーションフレーム１１，１２、フロントキャビネット２０がその長手方向において若干の寸法誤差を生じさせていても容易に各ボス１１ｄ，１２ｄを貫通口２１ｂに挿入でき、デコレーションフレーム１１，１２とフロントキャビネット２０とを確実に固定することが可能となる。
【００３６】
このように本考案によれば、画面サイズの異なるＰＤＰ３１、ＰＤＰ３２のいずれをも収納可能な大きさにフロントキャビネット２０を形成するとともに、収容するディスプレイがＰＤＰ３１、ＰＤＰ３２のいずれかによって、開口の大きさがＰＤＰ３１の画面３１ａに対応したデコレーションフレーム１１と、ＰＤＰ３２の画面３２ａに対応したデコレーションフレーム１２とを選択してフロントキャビネット２０に取り付け可能としたため、ＰＤＰ３１，３２を収容する各場合において、共通のフロントキャビネット２０を使用することができ、画面サイズが異なるプラズマテレビジョンを製造する場合のコストを低減することができる。
【００３７】
加えて、デコレーションフレーム１１，１２やフロントキャビネット２０の寸法誤差を原因として、前面側においてデコレーションフレーム１１，１２周縁で部品同士のずれによる隙間が生じていても、デコレーションフレーム１１，１２の外側の端部に庇部を形成したため当該隙間を覆うことができ、ユーザに外観上の違和感を与えないようにすることができる。
【図面の簡単な説明】
【００３８】
【図１】プラズマテレビジョンを組み立てる様子を示した斜視図。
【図２】プラズマテレビジョンの一部縦断面図。
【図３】プラズマテレビジョンの一部縦断面図。
【図４】プラズマテレビジョンの一部横断面図。
【図５】デコレーションフレームの背面図。
【図６】フロントキャビネットの前面図。
【符号の説明】
【００３９】
１１，１２…デコレーションフレーム
１１ａ，１２ａ，１１ｆ，１２ｆ…端部
１１ｂ，１２ｂ…仮止め用部材
１１ｃ，１２ｃ…庇部
１１ｄ，１２ｄ…ボス
１１ｅ，１２ｅ，２０ｅ…開口
２０…フロントキャビネット
２１…前面
２１ａ…上縁
２１ｂ…貫通口
２１ｃ…凹部
２５…ネジ
３１，３２…ＰＤＰ
３１ａ，３２ａ…画面
１００…プラズマテレビジョン
【図１】
0003112212.tif 000003
【図２】
0003112212.tif 000004
【図３】
0003112212.tif 000005
【図４】
0003112212.tif 000006
【図５】
0003112212.tif 000007
【図６】
0003112212.tif 000008